(57)【要約】  試験の目的に応じて冷却する部位や風向を自由に選択することができる冷却装置を備えた車両試験装置を提供する。車両又はその一部である供試体を試験する車両試験装置であって、前記供試体が載置される回転体と、前記回転体上に載置された供試体を冷却するために、前記供試体の側方から前記供試体の少なくとも一部に向かって風を送る冷却装置とを備えた、車両試験装置とした。
2020017485.tif 000002
【特許請求の範囲】
【請求項１】
車両又はその一部である供試体を試験する車両試験装置であって、
前記供試体が載置される回転体と、
前記回転体上に載置された供試体を冷却するために、前記回転体の側方から前記供試体の少なくとも一部に向かって風を送る冷却装置とを備えた、
車両試験装置。
【請求項２】
前記冷却装置は、
前記回転体の側方から、前記供試体の少なくとも一部に向かって風を送り出す送風口と、
前記送風口の位置又は向きを調整する風向調整部とを具備した、請求項１記載の車両試験装置。
【請求項３】
前記風向調整部は、前記回転体の側方を前記供試体の前後方向に移動可能に構成される、請求項２記載の車両試験装置。
【請求項４】
前記供試体の前後方向に延びるように前記回転体の側方に配置され、前記供試体を前記回転体上に固定するための車両固定部をさらに備え、
前記風向調整部は、前記車両固定部に固定される、請求項２又は３に記載の車両試験装置。
【請求項５】
前記風向調整部は、前記車両固定部が延びる方向に沿って、前記送風口の位置を前記供試体に対して移動可能に、前記車両固定部に固定される、請求項４記載の車両試験装置。
【請求項６】
前記風向調整部は、前記供試体の車輪又は前記供試体の車輪を収容する車輪収容空間に向けて風を送り出すように、前記送風口の位置又は向きを調整する、請求項２乃至５のいずれか一項に記載の車両試験装置。
【請求項７】
前記風向調整部は、前記送風口を前記供試体の前後方向に回動可能とするものである請求項２乃至６のいずれか一項に記載の車両試験装置。
【請求項８】
前記送風口から送り出される風の風量を制御する風量制御部をさらに具備する、請求項２乃至７のいずれか一項に記載の車両試験装置。
【請求項９】
前記風量制御部が、前記供試体の車速、前記車輪の回転速度又は前記車輪の温度に基づいて前記風量を制御する、請求項８記載の車両試験装置。
【請求項１０】
前記風量制御部が、前記供試体の車速の減速度又は前記車輪の回転速度の減速度に基づいて前記風量を制御する、請求項８又は９記載の車両試験装置。
【請求項１１】
前記風量制御部が、前記減速度が所定の閾値以上のときに、前記風量が増加するように制御する、請求項１０記載の車両試験装置。
【請求項１２】
回転体上に載置された車両又はその一部である供試体の少なくとも一部を冷却する冷却装置であって、
前記回転体の側方に配置され、前記回転体上に載置された供試体の少なくとも一部に向かって風を送り出す送風口と、
前記送風口の位置又は向きを調整する風向調整部とを具備する、冷却装置。
【請求項１３】
回転体上に載置された車両又はその一部である供試体の少なくとも一部を冷却する冷却方法であって、
前記供試体が載置される回転体上に載置された供試体を冷却するために、前記回転体の側方から前記供試体の少なくとも一部に向かって風を送る、冷却方法。
【発明の詳細な説明】
【技術分野】
【０００１】
本発明は、試験車両の模擬走行試験等を行うために用いられる車両試験装置に関するものである。
【背景技術】
【０００２】
従来は、例えば特許文献１や特許文献２に記載されているように、ローラ上に載置された供試体である試験車両の車輪に対して、該ローラの前方の床面に設けられた送風口から車輪に風を当てる冷却装置を備えた車両試験装置が知られている。
【先行技術文献】
【特許文献】
【０００３】
【特許文献１】特開２０１６−００１１７３号公報
【特許文献２】特開２００１−２８９７４１号公報
【発明の概要】
【発明が解決しようとする課題】
【０００４】
前述したような車両試験装置においては、単に車輪を冷却するだけでなく、試験の目的に応じて、前記車輪に取り付けられているブレーキ等、供試体の前方の床面に設けられた送風口からでは、直接風をあてることができない場所を冷却したいという要望がある。また、従来よりも冷却効率を向上させたいという要望もある。【０００５】
しかしながら、従来の車両試験装置では、前記ローラの前方の床面に冷却装置の送風口が固定されているので、このような要望には応えることが難しい。
そこで、本発明は、試験の目的に応じて冷却する部位を自由に選択することができ、従来よりも冷却効率を向上させることができる冷却装置を備えた車両試験装置を提供することを目的としている。
【課題を解決するための手段】
【０００６】
すなわち、本発明に係る車両試験装置は、車両又はその一部である供試体を試験する車両試験装置であって、前記供試体が載置される回転体と、前記回転体上に載置された供試体を冷却するために、前記供試体の側方から前記供試体の少なくとも一部に向かって風を送る冷却装置とを備えたものである。【０００７】
このような車両試験装置によれば、前記供試体の横から風を吹きつけることができるので、従来は直接風をあてることができなかったタイヤの側面、ホイール、ブレーキパッドやブレーキディスク等にも直接風を送ることができる。
また、風を、前記供試体の車輪を収容する車輪収容空間に前記車輪の横方向から吹き付けられるので、前記車輪収容空間内の空気を攪拌させることができる。
前記車輪収容空間内の空気は、直接車輪に送られる風に比べて前記車輪との接触面積が大きいので、前記車輪収容空間の空気を攪拌して冷やせば、前記車輪全体を従来よりも効率よく冷やすことができる。
なお、本明細書中では、供試体の走行方向を前後とし、供試体の進行方向に向かって供試体の左右の側面より外側を側方又は横としている。より具体的には、前記回転体（具体的には、供試体が載置される外側周面）の軸方向における最外端を通るものであって、前記回転体の軸と直交する仮想直線よりも外側を側方とする。
また、本明細書中での車輪とは、ホイール及びタイヤを含むものを指す。【０００８】
前記冷却装置が、前記供試体の側方から、前記供試体の少なくとも一部に向かって風を送り出す送風口と、前記送風口の位置又は向きを調整する風向調整部とを具備するものとすれば、試験の目的に応じて冷却する供試体の部位や風向を自由に選択することができる。
また、冷却したい特定の部位を狙って風を送ることができるので、冷却部位の冷却効率をより向上させることができる。【０００９】
前記風向調整部は、前記供試体の側方を前記供試体の前後方向に移動可能に構成されるものであれば、冷却部位の自由度をより向上することができる。【００１０】
前記供試体の前後方向に延びるように前記回転体の側方に配置され、前記供試体を前記回転体上に固定するための車両固定部をさらに備え、前記風向調整部は、前記車両固定部に固定されるものとすれば、前記車両試験装置がもともと備えている車両固定部を利用することができるので、車両試験装置の構成をより簡単なものとすることができる。【００１１】
本発明の具体的な実施態様としては、前記風向調整部が、前記車両固定部が延びる方向に沿って、前記送風口の位置を前記供試体に対して移動可能に、前記車両固定部に固定するものを挙げることができる。【００１２】
前記風向調整部は、前記供試体の車輪又は前記供試体の車輪を収容する車輪収容空間に向けて風を送り出すように、前記送風口の位置又は向きを調整するものとしても良い。【００１３】
前記風向調整部が、前記送風口を前記供試体の前後に回動可能とするものであれば、風向きの自由度を向上させることができる。【００１４】
前記車両試験装置が、前記送風口から送り出される風の風量を制御する風量制御部をさらに具備するものであれば、前記供試体の車輪などを必要に応じて適切に冷却することができる。【００１５】
具体的には、前記風量制御部が、前記供試体の車速、前記回転体の回転速度又は前記車輪の温度に基づいて前記風量を制御するものを挙げることができる。【００１６】
また、前記供試体の車速や前記回転体の回転速度の減速度が大きい場合に、ブレーキの温度が上昇しやすいと考えられるので、前記ブレーキを冷却したい場合等には、前記風量制御部が前記供試体の車速の減速度又は前記回転体の回転速度の減速度に基づいて前記風量を制御するものとしても良い。
さらに、前記風量制御部が、前記減速度が所定の閾値以上のときに、前記風量が増加するように制御するようにしても良い。
【発明の効果】
【００１７】
本発明によれば、試験の目的に応じて供試体の冷却する部位や風向を自由に選択することができ、さらに各冷却部位について、従来よりも冷却効率を向上させることができる。
【図面の簡単な説明】
【００１８】
【図１】本発明の一実施形態に係る車両試験装置の全体模式図。
【図２】本実施形態に係る車両試験装置の全体摸式図。
【図３】本実施形態に係る風向調整部の構造を示す摸式図。
【図４】本実施形態に係る冷却部位と送風口との位置関係の例。
【図５】本実施形態に係る冷却部位と送風口との位置関係の変更例。
【図６】本実施形態に係る送風口の位置や向きの変更例。
【図７】本実施形態に係る制御ブロック図。
【符号の説明】
【００１９】
Ｖ・・・試験車両
Ｗ・・・車輪
Ｗ４・・・車輪収容空間
１００・・・車両試験装置
１・・・ダイナモメータ
１１・・・ローラ
４２・・・送風口
４４・・・風向調整部
４５・・・風量制御部
【発明を実施するための形態】
【００２０】
以下に、本発明の一実施形態に係る車両試験装置１００について各図を参照しながら説明する。
図１及び図２に示すように、本実施形態に係る車両試験装置１００であるシャシダイナモ装置は、例えば、供試体である試験車両供試体である試験車両Ｖが搭載されるシャシダイナモメータ１と、前記試験車両Ｖを該シャシダイナモメータに対して固定する車両固定部２と、該シャシダイナモメータ１を制御するダイナモ制御部３とを備えている。
【００２１】
前記シャシダイナモメータ１は、例えば、モード走行や実路走行における運転状態に応じて試験車両Ｖに負荷を与える負荷装置として機能するものである。
【００２２】
具体的に前記シャシダイナモメータ１は、例えば、前記試験車両Ｖの車輪Ｗのうち、前輪などの駆動輪が載置される回転体であるローラ１１と、該ローラ１１に接続される動力吸収部と、前記試験車両Ｖの前方に配置された大型ファン１２とを備えている。
前記回転体は、例えば、前記試験車両Ｖの前後方向に回転するように構成された円筒状のローラ１１や無端ベルト等である。
【００２３】
前記車両固定部２は、例えば、前記試験車両Ｖの前後方向に延びるレール２１と、該レール２１に沿って移動可能に取り付けられたポール２２と、該ポール２２と試験車両Ｖとをつなぐワイヤ２３等を備えたものである。
前記レール２１は、例えば、前記試験車両Ｖの両側に、前記試験車両Ｖの前後方向に対して平行になるように配置されている。
【００２４】
前記ダイナモ制御部３は、例えば、ＣＰＵ、メモリ、Ａ／Ｄコンバータ、Ｄ／Ａコンバータ等を備えた情報処理回路が、前記メモリの所定領域に格納されたプログラムに従ってＣＰＵや周辺機器が協働することによりその機能を発揮するように構成されている。
【００２５】
該ダイナモ制御部３は、所定の走行モードにおいて定められた目標走行抵抗となるように前記動力吸収部をトルク制御する。
【００２６】
しかして、本実施形態に係るシャシダイナモ装置１００は、さらに前記試験車両Ｖの車輪Ｗである駆動輪、非駆動輪、又はこれら車輪Ｗに取り付けられたブレーキＢ等を風で冷却する冷却装置４を備えている。
【００２７】
前記冷却装置４は、風を起こすためのファン４１と、一端が該ファン４１に接続されて他端に送風口４２が形成された送風管４３と、前記送風口４２の前記試験車両Ｖに対する位置や向きを調整する風向調整部４４と、前記風の風量を制御する風量制御部４５とを備えている。
該冷却装置４は、シャシダイナモ装置１００に載置される前記試験車両Ｖの前記車輪Ｗの数と同数設けられている。
【００２８】
前記ファン４１は、前記シャシダイナモ装置１００の地下ピットＧ内や前記レール２１の外側等に配置されている。
前記送風管４３は、前記ファン４１と前記送風口４２とを接続する可撓性を有するホースである。
【００２９】
前記送風口４２が形成されている前記送風管４３の先端部は、この実施形態では、ノズル状の部材からなるものであり、前記車輪の外側に設けられた防護柵２４の外側から前記車輪Ｗの側面に風を送りだせるように、前記ローラ１１の側方であって前記防護柵２４の外側に配置されている。前記送風口４２の口径は、およそ５ｃｍの円形状にしてある。
【００３０】
前記風向調整部４４は、該風向調整部４４に取り付けられた前記送風管４３の先端部の位置や向きを変えることで、前記送風口４２の位置や向きを調整するものである。
この風向調整部４４は、図３に示すように、前記先端部の試験車両Ｖの前後方向の位置を調整する位置調整機構４４１と、前記先端部の試験車両Ｖの前後方向の向きを調整する向き調整機構４４２とを備えるものである。
【００３１】
前記位置調整機構４４１は、本実施形態では、前記先端部の位置を大まかに移動させることができる第１位置調整機構４４１ａと、前記先端部の位置を微調整することができる第２位置調整機構４４１ｂとを備えている。
【００３２】
前記第１位置調整機構４４１ａは、前記シャシダイナモ装置１００が備える一対のレール２１と、該レール２１に沿ってスライド可能な可動台ａ１からなるものである。
前記可動台ａ１は、所定位置に調整された後に、ネジなどの第１固定機構ａ２によって固定されるものである。各図面においては、該可動台ａ１は、矩形状の枠体として示しているがこれに限られるものではない。
【００３３】
前記第２位置調整機構４４１ｂは、前記可動台ａ１に設けられた一対のレールｂ１と、該可動台ａ１のレールｂ１上をスライド可能なスライド部材ｂ２とを備えるものである。
前記スライド部材ｂ２は、所定位置に調整された後に、ネジ等の第２固定機構ｂ３によって固定されるものである。図面では、前記スライド部材ｂ２は、前記試験車両Ｖの前後方向の寸法が前記可動台ａ１よりも小さい矩形状の板であるが、これに限られるものではない。
【００３４】
この実施形態では、前記第２位置調整機構４４１ｂは、前記可動台ａ１と該可動台ａ１に取り付けられた前記先端部との間に介在するように設けられている。
【００３５】
前記向き調整機構４４２は、この実施形態では、前記スライド部材ｂ２と該スライド部材ｂ２に取り付けられた前記先端部との間にさらに介在するように設けられている。
前記向き調整機構４４２は、前記先端部が固定された回動部材４４２ａと、該回動部材４４２ａを回動可能に支持する支持部材４４２ｂとを備えている。
【００３６】
本実施形態では、前記回動部材４４２ａは、例えば、円盤状の板であり、その外周面が前記支持部材４４２ｂの内周面に触れながら回動することにより、試験車両Ｖの前後にそれぞれ各４５°ずつ、合計で９０°回動できるように構成されている。
該回動部材４４２ａは、例えば、クランクレバーなどの向き固定機構４４２ｃによって固定される。
【００３７】
前記支持部材４４２ｂは、この実施形態では、前記スライド部材ｂ２であり、該スライド部材ｂ２の表面に形成された凹部ｂ２１に前記回動部材４４２ａを、該回動部材４４２ａの外周面が前記凹部の内周面に接するように収容するものである。
【００３８】
前記風向調整部４４による前記送風口４２の位置又は向きの調整方法の一例を、以下に説明する。
前記送風口４２の位置は、前記送風管４３の前記先端部が取り付けられた前記可動台ａ１又は前記スライド部材ｂ２の前記試験車両Ｖの前後方向の位置を変更することによって調整することができる。
【００３９】
前記可動台ａ１の位置は、前記第１固定機構ａ２であるネジを緩めてから前記可動台ａ１を前記レール２１に沿って移動させ、所望の位置で前記第１固定機構ａ２であるネジを締めて前記可動台ａ１を前記レール２１に固定することによって変更する。
このように前記可動台ａ１の位置を変更すると、この可動台ａ１上に搭載されている前記第２位置調整機構４４１ｂと前記向き調整機構４４２の位置もそれに従って変更される。
【００４０】
前記スライド部材ｂ２の位置は、該スライド部材ｂ２を前記可動台ａ１に設けられたレールｂ１に対して固定している前記第２固定機構ｂ３であるネジを緩めてから、前記スライド部材ｂ２を前記可動台ａ１のレールｂ１上で前記試験車両Ｖの前後方向にスライドさせて変更する。前記スライド部材ｂ２を所望の位置に移動した後、前記第２固定機構ｂ３であるネジを締めて前記スライド部材ｂ２を前記可動台ａ１のレールｂ１に固定する。
このように前記スライド部材ｂ２の位置を変更すると、このスライド部材ｂ２上に搭載されている前記向き調整機構４４２の位置もそれに従って変更される。
【００４１】
前記送風口４２の向きは、前記送風管４３の前記先端部が固定されている前記回動部材４４２ａの前記試験車両Ｖの前後方向における回動具合によって調整することができる。
この実施形態では、前記回動部材４４２ａの回動具合は、前記回動部材４４２ａを前記スライド部材ｂ２に対して回動しないように固定している前記向き固定機構４４２ｃを緩めてから、前記回動部材４４２ａを回動させることによって変更する。前記送風口４２の向きが所望の角度になったところで前記向き固定機構４４２ｃを締めて前記回動部材４４２ａを前記スライド部材ｂ２に対して回動しないように固定する。
【００４２】
このようにして、前記送風口４２の位置や向きを調整することにより、例えば、前記車輪ＷのタイヤＷ１、ホイールＷ２、ブレーキＢ（ブレーキパッドＢ１やブレーキディスクＢ２）、試験車両Ｖのボディと前記車輪Ｗの間に形成された車輪収容空間Ｗ４（タイヤハウス）など、狙った箇所に向けて前記送風口４２からの風を送り出すことができる。
【００４３】
図４は、前記車輪収容空間Ｗ４に対して風をあてる場合の冷却部位と送風口との位置関係の一例を示す図である。また、図５は、前記ブレーキパッドまたはブレーキディスクに風をあてる場合の冷却部位と送風口との位置関係の一例を示す図である。
【００４４】
また、前記送風口４２の前記試験車両Ｖの前後方向の位置については、例えば、図６に示すように、前記送風口４２からの風を受ける車輪Ｗの中心よりも前記試験車両Ｖの前側になるように配置して、試験車両Ｖの斜め前方向から風を送ることも出来る。
【００４５】
前記風量制御部４５は、前記情報処理回路がその機能を発揮するものであり、例えば、ファン４１の回転数を制御することにより、風量を制御するものである。
前記風量制御部４５による風量の制御方法を、図７を参照して以下に説明する。
【００４６】
前記風量制御部４５は、例えば、前記トルクセンサ３１や前記ダイナモ制御部３からのトルク関連値などを示す信号や、前記試験車両Ｖの車速又は前記ローラ１１の回転速度を検出する速度センサ５又は前記車輪Ｗの温度等を検出する温度センサ６等の検出部からの信号に基づいて、例えば、前記ファン４１の回転数を制御する。
【００４７】
前記試験車両Ｖの前記車輪Ｗを冷却する場合には、前記試験車両Ｖの車速や、前記ローラ１１の回転速度が大きいほど、前記ローラ１１と前記車輪Ｗとの摩擦による熱が発生しやすいと考えられる。
そこで、前記風量制御部４５が、前記試験車両Ｖの車速や、前記ローラ１１の回転速度に基づいて、前記送風口４２から送り出される風の風量を制御するようにしておけば、過剰な冷却や冷却不足を防いで前記車輪Ｗをより適切に冷却することができる。
また、前記風量制御部４５が、前記試験車両Ｖの車速や、前記ローラ１１の回転速度が大きくなるほど、風量を大きくするように制御するので、実路走行での側方からの風による負荷の再現性についても高めることができる。
【００４８】
前記風量制御部４５は、前記車輪Ｗの温度が上がるほど、風量を大きくするように制御しても良い。
このようにすれば、前記車輪Ｗの過剰な冷却や冷却不足を防いで前記車輪Ｗをより適切に冷却することができる。
【００４９】
また、試験条件によっては、前記車輪Ｗだけでなく前記車輪Ｗに取り付けられたブレーキＢを冷やしたい場合もある。
特に下り坂が続く場合には、ブレーキＢと前記車輪Ｗとの間に生じた大きな摩擦が長時間続き、ブレーキＢが過剰に熱を帯びてしまうことも考えられるからである。
【００５０】
本願発明では、前記試験車両Ｖの横方向から風をあてているので、前記ブレーキＢを構成しているブレーキパッドＢ１やブレーキディスクＢ２を狙って風を当てることも可能である。そのため、ブレーキパッドＢ１やブレーキディスクＢ２が過剰に熱を帯びてしまうことを抑えることができる。
また、このような場合には、前記風量制御部４５が、前記供試体の車速又は前記ローラ１１の回転速度の減速度が大きいほど、風量を多くするように制御することも考えられる。
【００５１】
前記ブレーキＢと車輪Ｗとの間で大きな摩擦が生じている場合には、前記ブレーキＢを冷却する必要があるが、摩擦が十分に小さい場合や前記ブレーキＢによらずエンジンブレーキ等によって前記供試体の車速又は前記ローラ１１の回転速度が減速している場合には前記ブレーキＢを冷却する必要性は低くなる。
そこで、前記風量制御部４５が、冷却が必要ない程度の摩擦や、エンジンブレーキＢ等による前記供試体の車速又は前記ローラ１１の回転速度の減速度を予め所定の閾値として求めておき、前記減速度が、この閾値以上となった場合にのみ前記風量を増加させるようにすれば、より効率的に前記ブレーキＢを冷却することができる。
【００５２】
ところで、前記試験車両Ｖの前後方向に対する前記送風口４２の角度によっても、車輪Ｗや車輪収容空間Ｗ４、ブレーキＢなどに対する風のあたり方や冷却効率が変わると考えられる。
そこで、前記風量制御部４５が、前記送風口４２又は該送風口４２から送り出される風の前記試験車両Ｖの前後方向に対する角度を感知する風向センサ７からの信号に基づいて前記風量を制御するようにしても良い。
【００５３】
このように構成したシャシダイナモ装置１００によれば、以下の様な効果を奏することができる。
前記送風口４２からの風が、前記車輪Ｗ又は前記車輪収容空間Ｗ４に前記車輪Ｗの横側から吹き付けられ、さらに前記送風口４２の位置又は向きを調整する風向調整部４４を備えているので、従来は直接風をあてることができなかった、タイヤＷ１の側面、ホイールＷ２、ブレーキパッドＢ１やブレーキディスクＢ２等にも直接風を送ることができる。
その結果、試験の目的に応じて冷却する試験車両Ｖの部位や風向を自由に選択することができる。
【００５４】
また、前記送風口４２からの風が、前記車輪Ｗ又は前記車輪収容空間Ｗ４に前記車輪Ｗの横方向から吹き付けられるので、前記車輪収容空間Ｗ４内の空気を循環させることができ、前記車輪Ｗ全体を従来よりも効率よく冷やすことができる。
【００５５】
路上では前からの風だけでなく、横からの風の影響もあると考えられる。そのため、室内で路上走行を再現する試験において、前記試験車両Ｖの横方向からの風を再現できるので、実際の走行条件により近い条件での試験が可能になると思われる。
【００５６】
前記送風管４３の前記先端部の形状をノズル状にしてあり、該先端部に形成された送風口４２の口径をおよそ５ｃｍと小さく設定しているので、特別に大型のファン４１を準備しなくても、前記試験車両Ｖに対して時速２００ｋｍ程度の風速で吹き付けることができる。
【００５７】
前記風向調整部４４の前記可動台ａ１をシャシダイナモ装置１００がもともと備えているレール２１上に取り付けて、前記送風口４２の位置を調整しているので、簡単な構成で送風口４２の前記試験車両Ｖの前後方向における位置を変えることができる。
前記レール２１は、前記試験車両Ｖの前後の長さよりも十分に長いので、前記送風口４２の位置を、前記試験車両Ｖの前後の長さよりも広い範囲で前記試験車両Ｖの前後方向に移動させることが可能である。
【００５８】
具体的には、前記車輪Ｗのタイヤ部分Ｗ１、ホイール部分Ｗ２、前記車輪Ｗに取り付けられたブレーキパッドＢ１、ブレーキディスクＢ２又は前記車輪Ｗを収容する車輪収容空間Ｗ４等を標的として、前記送風口４２からの風をあてることができる。また、各部にあたる風の角度についても自由に調整することができる。
特に、前記送風口４２からの風が前記車輪Ｗに対して斜め前からあたるようにしておけば、実路での走行条件をより忠実に再現することができる。
また、前記車輪Ｗの接地面にも風をあてることができるので前記車輪Ｗをより効率的に冷やすことができることができる。
【００５９】
前記風向調整部４４が、位置調整機構４４１と向き調整機構４４２とを備えているので、前記送風口４２の位置や向きを簡単な操作でより柔軟に変更することができる。
さらに、前記送風口４２の位置や角度を少し変更するだけなら、わざわざ可動台ａ１を移動させることなく、前記スライド部材ｂ２や前記回動部材４４２ａのみを個別に調整するだけで簡単に送風口４２の位置や向きを変えることができる。
【００６０】
前記ファン４１と前記送風口４２とを前記送風管４３で接続しているので、前記ファン４１の設置場所を自由に選ぶことができる。
より具体的には、ファン４１を前記試験車両Ｖの周囲に配置する必要がなく、例えば地下ピット内に配置することも可能であるので、省スペースである。
【００６１】
本発明は前記実施形態に限られたものではない。
例えば、シャシダイナモ装置が備える各ローラ１１に対して設けられた各冷却装置４がそれぞれ１つずつファン４１を備えているものに限らず、複数の冷却装置４がファン４１を共有してもよいし、１つの冷却装置４が複数のファン４１を備えていても良い。
【００６２】
また、前記冷却装置４が１本の送風管４３を備えるものに限らず、前記冷却装置４が、複数の送風管４３を備えるようにしても良い。１つの車輪Ｗに対して、例えば、ブレーキパッドＢ１に風を送る送風口４２、車輪収容空間Ｗ４に風を送る送風口４２等というように、２つ以上の送風口４２を設けるようにしても良い。
【００６３】
前記送風口４２の口径や形状は、前記ファン４１の大きさや試験目的、冷却部位等に応じて適宜変更することができる。
前記送風口４２は、前記送風管４３の先端に形成されているものであっても良いし、もしファン４１を置くスペースがあるのであれば、前記防護柵２４の外側に配置されたファン４１の筐体に直接形成されていても良い。
前記送風口４２は、前記防護柵２４の内側に配置されていても良い。また、前記防護柵２４を備えないシャシダイナモ装置としても良い。
【００６４】
前記風向調整部４４の前記位置調整機構４４１と前記向き調整機構４４２は、前述したようなものに限らず、前記向き調整機構４４２と、該向き調整機構４４２に取り付けられた前記送風管４３の先端部との間に、前記位置調整機構４４１が介在するようにしてもよい。
前記位置調整機構４４１は、第１位置調整機構４４１ａと第２位置調整機構４４１ｂとを備えるものに限らず、さらに多段階に前記送風口４２の位置を調整できるようにしてもよいし、第１位置調整機構４４１ａのみを備えるものとしても良い。
【００６５】
前記実施形態では、位置調整機構４４１の可動台ａ１にレールｂ１が設けられ、スライド部材ｂ２がスライドするものであったが、スライド部材ｂ２にレールｂ１が設けられ、可動台ａ１が該スライド部材ｂ２に対してスライドするようにしても良い。
前記向き調整機構４４２は、前記回動部材４４２ａの外周面又は内周面が前記支持部材４４２ｂの外周面又は内周面に触れるように回動するものであればよく、例えば、スライド部材ｂ２に一体に形成された軸部材と、前記回動部材４４２ａに形成された軸孔を備えたものとしても良い。
また、軸部材と軸穴が前記スライド部材ｂ２と前記回動部材４４２ａのどちらに形成されていても良い。
【００６６】
前記車両固定部は、レール２１を備えていれば良く、前述のポール２２やワイヤ２３については、別の車両固定部材であってもよい。
【００６７】
前記風量の制御に関しては、試験の条件に応じて、予めテーブルを作成しておいて、前記風量制御部４５がこのテーブルに記録された条件に従って風量を制御するようにしても良い。
また、前記風量制御部４５によらず、ユーザが手動で風量を設定することも可能である。
前記風量制御部４５は、前述したように前記ファン４１の回転数を制御するものに限らず、前記送風管４３内に設けられ該送風管４３を流れる風の流量を調整する弁の開度を制御するようにしてもよいし、前記送風口４２の口径等を制御するようにしてもよい。
その他、本発明の趣旨に反しない限りにおいて、種々の変形や実施形態の組合せを行ってもかまわない。
【産業上の利用可能性】
【００６８】
本発明によれば、試験の目的に応じて供試体の冷却する部位や風向を自由に選択することができ、さらに各冷却部位について、従来よりも冷却効率を向上させることができる。
【図１】
2020017485.tif 000003
【図２】
2020017485.tif 000004
【図３】
2020017485.tif 000005
【図４】
2020017485.tif 000006
【図５】
2020017485.tif 000007
【図６】
2020017485.tif 000008
【図７】
2020017485.tif 000009
【国際調査報告】
2020017485.tif 000010
2020017485.tif 000011
2020017485.tif 000012
2020017485.tif 000013